(57)【要約】【課題】異型線材１において、端部に強度を落とすことなくボルト部５を形成する。【解決手段】複数の螺旋状の凸条部２を表面に有する異型線材１の端部に、ネジが前記凸条部２の山部１１に形成されるようにボルト部５を形成する。【選択図】図１
2005042379.tif 000002
【特許請求の範囲】
【請求項１】
螺旋状の凸条部（２）を表面に複数有する異型線材（１）の端部にボルト部（５）が設けられており、このボルト部（５）のネジが前記凸条部（２）に形成されていることを特徴とするネジ付き異型線材。
【請求項２】
前記ネジの谷部（１２）の底（１４）が、螺旋状の凸条部（２）により挟まれた凹条部（１５）の底（１６）より径大又は略径同一であることを特徴とする請求項１に記載のネジ付き異型線材。
【請求項３】
前記ネジの山部（１１）の稜（１３）が、螺旋状の凸条部（２）の稜（１７）より径大又は略径同一であることを特徴とする請求項１又は２に記載のネジ付き異型線材。
【請求項４】
前記凸条部（２）は右回り又は左回りの緩い螺旋状であることを特徴とする請求項１〜３のいずれかに記載のネジ付き異型線材。
【請求項５】
前記異型線材（１）の断面視で、凸条部（２）の幅方向一方辺（４）は他方辺（３）より周方向の長さが長いことを特徴とする請求項１〜４のいずれかに記載のネジ付き異型線材。
【請求項６】
請求項１〜５のいずれかに記載のネジ付き異型線材のボルト部（５）を、転造ダイス（８）を用いて製造することを特徴とするネジ付き異型線材の製造方法。
【発明の詳細な説明】
【技術分野】
【０００１】
本発明は、アンカーボルトとして使用可能なネジ付き異型線材及びその製造方法に関するものである。
【背景技術】
【０００２】
従来より、家屋等の構造物の基礎工事において、コンクリート土台に木材骨組みを締結する際には、アンカーボルトが用いられていた。
このアンカーボルトは、所定長さの線材であって、一方の端部にネジが形成されボルト部となっているものであり、他方の端部がコンクリート土台に略垂直に埋め込まれるように複数固配置されているものである。かかるアンカーボルトが木材骨組みに開けられ挿通孔を貫通するように、コンクリート土台上に木材骨組みが配置され、ボルト部にナットを締め付けることで、コンクリート土台に木材骨組みが固定されるようになっている。
【０００３】
前記アンカーボルトは、コンクリート土台に対する固着力を増すため、断面が非円形である異型線材や、特許文献１に記載されているような側面視の形状が波形になっているものが使用されていた。
このような異型線材にボルト部（ネジ）を形成するためには、従来より、異型線材を旋盤等で一旦円形に切削した上で、その部位にネジを切るようにしていた。
【特許文献１】特開２００２−３４８８６５号公報（第２〜３頁、第５図）
【発明の開示】
【発明が解決しようとする課題】
【０００４】
しかしながら、このような方法では、ボルト部の直径が元々の線材径より小さくなるため、強度が不足するといった問題があった。この問題を解決する手段等は、前記特許文献１には全く開示されていない。
そこで、本発明は、上記問題点に鑑み、異型線材の端部に強度を落とすことなくボルト部が形成され且つアンカーボルトとして使用可能なネジ付き異型線材及びその製造方法を提供することを目的とするものである。
【課題を解決するための手段】
【０００５】
前記目的を達成するため、本発明においては以下の技術的手段を講じた。
すなわち、本発明物における課題解決のための技術的手段は、螺旋状の凸条部を表面に複数有する異型線材の端部にボルト部が設けられており、このボルト部のネジが前記凸条部に形成されていることを特徴とする。
また、本発明物における課題解決のための技術的手段は、前記ネジの谷部の底が、螺旋状の凸条部により挟まれた凹条部の底より径大又は略径同一であることを特徴とする。
また、本発明物における課題解決のための技術的手段は、前記ネジの山部の稜が、螺旋状の凸条部の稜より径大又は略径同一であることを特徴とする。
【０００６】
また、本発明物における課題解決のための技術的手段は、前記凸条部は右回り又は左回りの緩い螺旋状であることを特徴とする。
また、本発明物における課題解決のための技術的手段は、前記異型線材の断面視で、凸条部の幅方向一方辺は他方辺より周方向の長さが長いことを特徴とする。
また、本発明方法における課題解決のための技術的手段は、前記技術的手段のいずれかに記載の発明物のボルト部を、転造ダイスを用いて製造することを特徴とする。
【発明の効果】
【０００７】
本発明によれば、異型線材の端部に強度を落とすことなくボルト部が形成されたネジ付き異型線材を提供することが可能となる。
【発明を実施するための最良の形態】
【０００８】
以下、本発明にかかるネジ付き異型線材、及びその製造方法について図を基に説明する。
本実施形態の異型線材１は複数の螺旋状の凸条部２を有するものであり、この凸条部２は線材表面に左回りで形成されているものである。図１、図４に示されているように、前記凸条部２の周方向ピッチは異型線材１の直径に近いものであり、緩やかな螺旋を描くように設けられたものとなっている。なお、以下、異型線材１とは断面形状が非円形の線材のことである。
【０００９】
凸条部２の径外方向の突出量は、線材直径の１／５〜１／２０程度であり、断面視で凸条部２の幅方向の一辺側４は他辺側３に比べて周方向の長さが長いものとなっている。換言すれば、他方辺はその傾きが急峻な急峻面３の切り口であり、一方辺はその傾斜がなだらかな緩慢面４の切り口であって、異型線材１に内接する円の円弧に近い形状を有するものとなっている。
この異型線材１の一方の端部は右ネジが形成されたボルト部５となっており、図２に示す如く、転造によるネジ成形方法で形成されるものである。
【００１０】
転造によるネジの成形とは、外周がネジ型７が形成された２個の円柱状ダイス８，８間に異型線材１（素材）を挟み込み、ダイス８に圧力をかけながら、異型線材１を回転させてネジを形成するものである。異型線材１を加熱して熱間加工を行ってもよく、冷間で加工を行ってもよい。
転造でネジを形成すると、切削での加工のように切削くずが発生することもなく、ネジが塑性変形を受けているため、その強度は非常に強いものなる。
このようにして形成された、ボルト部５の詳細を図３，４に示している。図３はボルト部５のネジの斜視図を示したものであり、図４はボルト部５の断面を示したものである。
【００１１】
前記ボルト部５のネジは、その螺旋方向に対して、一方側に急峻に切り立った急斜面９を有し、他方端にはなだらかに下る緩斜面１０を有し、両面が交わって部分が最も径外方向に突出したところとなっている。
ネジのピッチ方向に見ると、ネジの山部１１の稜１３は急斜面９近傍では細い幅であるが、離れるに従って幅広の稜１３となっている。これは、凸条部２が断面視で急峻面３と緩慢面４とを有しており、その部分に転造でネジが形成されたためである。すなわち、急峻面３がネジ山部１１の急斜面９に対応し、緩斜面１０が緩慢面４に対応するものである。
【００１２】
従って、ボルト部５には、急斜面９に対応する螺旋状の溝部６が形成されるものとなっている。
また、図４に示すように、前記ネジの谷部１２の底１４は、螺旋状の凸条部２により挟まれた凹条部１５の底１６と略径同一又は若干径大となっており、さらに、前記ネジの山部１１の稜１３が、螺旋状の凸条部２の稜１７より径大又は略径同一となっている。
これは、鋼等で形成された異型線材１を塑性変形することにより、ネジが形成されるためであって、鋼がダイス８に沿って移流することに起因するものである。
【００１３】
ネジの谷部１２の底１４が、凹条部１５の底１６より径小すなわち細くなることがないため、ボルト部５の強度が弱くなることを防げるものとなっている。また、ネジの山部１１の稜１３が径大となるため、ネジ自身の強度をより大きくすることが可能となる。
以上述べた、ネジ付き異型線材１の使用態様について以下述べる。
本発明にかかるネジ付き異型線材１は、建物建造におけるアンカーボルトとして使用することができる。
図５に示すように、家屋等の構造物の基礎工事においては、地面２４の上に建物の礎となるコンクリート土台２０が形成される。このコンクリート土台２０は、鉄筋コンクリート構造であって、骨材として複数の鉄製線材が組み上げられ、その周囲にコンクリートが流し込まれた上で固まったものである。
【００１４】
前記骨材には、アンカーボルト（ネジ付き異型線材）１が、ボルト部５が上方を向くように複数個配置されているため、固まったコンクリート土台２０からは複数のアンカーボルト１が立設するようなものとなっている。
このアンカーボルト１には、左回り螺旋状の凸条部２が形成されているため、コンクリート自体とアンカーボルト１表面との接触面積が広くなり、両者は強固に結合するようになっている。
なお、凸条部２の急峻面３が上方にくるような形で配置するようにすると、アンカーボルト１を上方に引き抜こうとする力に対する抵抗力が強大なものとなるため、非常に好ましい使用態様となる。
【００１５】
このコンクリート土台２０の上に、家屋を構成する木材骨組み２１を載置するようにする。すなわち、木材骨組み２１に挿通孔２２を穿孔しておき、アンカーボルト１が、かかる挿通孔２２を貫通するように、木材骨組み２１をコンクリート土台２０上に配置し、ボルト部５にナット２３を締め付けることで、両者を固定するようにする。
なお、本発明は、上記実施の形態に限定されるものではない。
すなわち、異型線材１の表面に形成されている凸条部２は右螺旋であっても何ら問題はなく、異型線材１の断面は図４に示すものに限定されるものではない。
【００１６】
また、異型線材１のボルト部５を形成する際の転造ダイス８は、平ダイス８であってもよい。
また、本発明にかかるネジ付き異型線材１は、アンカーボルト以外に使用しても何ら問題はない。例えば、エアコン機材を天井部につり下げるための吊下げ棒として利用してもよい。この際、前記異型線材１が露出していたとしても、当該異型線材１に形成されている凸条部２は意匠的な効果を奏するものとなる。
また、本発明に記載された技術を異形線材と標記される線材に適用しても何ら問題はない。
【図面の簡単な説明】
【００１７】
【図１】本実施形態の正面図である。
【図２】転造ダイスでネジを形成することを示した図である。
【図３】ボルト部のネジの拡大斜視図である。
【図４】ボルト部の断面図である。
【図５】本実施形態をアンカーボルトとして使用することを示した図である。
【符号の説明】
【００１８】
１    異型線材
２    凸条部
５    ボルト部
６    溝部
８    転造ダイス
【図１】
2005042379.tif 000003
【図２】
2005042379.tif 000004
【図３】
2005042379.tif 000005
【図４】
2005042379.tif 000006
【図５】
2005042379.tif 000007